(57)【要約】【課題】渋滞区間に対する適切な走行を行わせることを可能とした交通情報案内システム及び交通情報配信装置を提供する。【解決手段】渋滞が生じている渋滞区間を特定する情報を取得し、渋滞区間に対して進行方向手前側を走行する複数の車両について、各車両が減速を開始した減速開始地点及び停止した停止地点に関する情報を収集し、各車両からの情報の収集結果に基づいて、当該渋滞区間を走行する車両に対して減速開始地点及び停止地点についての案内を行うように構成する。【選択図】図１１
2019139349.tif 000002
【特許請求の範囲】
【請求項１】
渋滞が生じている渋滞区間を特定する情報を取得する渋滞情報取得手段と、
前記渋滞区間に対して進行方向手前側を走行する複数の車両について、各車両が減速を開始した地点或いは各車両において減速操作が開始された地点を減速開始地点とし、前記減速開始地点に関する情報を減速履歴情報として収集する減速履歴収集手段と、
前記減速履歴収集手段の収集結果に基づいて、前記減速開始地点に関する案内を行う減速情報案内手段と、を有する交通情報案内システム。
【請求項２】
前記減速履歴収集手段によって収集した各車両の前記減速履歴情報を統計する減速履歴統計手段を有し、
前記減速情報案内手段は、前記減速履歴統計手段の統計結果に基づいて、前記減速開始地点の分布に関する案内を行う請求項１に記載の交通情報案内システム。
【請求項３】
前記減速情報案内手段は、
前記渋滞区間の進行方向手前側の道路を所定距離単位で区分し、
区分毎に含まれる前記減速開始地点の度数を示唆する案内を行う請求項２に記載の交通情報案内システム。
【請求項４】
前記減速情報案内手段は、
車両周辺の地図画像を表示装置に表示し、
前記地図画像に含まれる前記渋滞区間の進行方向手前側の道路について、前記区分毎に含まれる前記減速開始地点の度数に応じた表示態様で表示する請求項３に記載の交通情報案内システム。
【請求項５】
前記減速履歴収集手段は、統計を行う時点から所定時間前までの期間において各車両が減速を開始した減速開始地点に関する情報を、前記減速履歴情報として収集する請求項２乃至請求項４のいずれかに記載の交通情報案内システム。
【請求項６】
前記減速情報案内手段は、前記渋滞区間を走行する予定の車両に対して前記減速開始地点に関する案内を行う請求項１乃至請求項５のいずれかに記載の交通情報案内システム。
【請求項７】
前記減速履歴収集手段は、前記渋滞区間から進行方向手前側に所定距離内の範囲において、各車両が減速を開始した地点或いは各車両において減速操作が開始された地点を減速開始地点として収集する請求項１乃至請求項６のいずれかに記載の交通情報案内システム。
【請求項８】
前記減速情報案内手段は、前記渋滞区間と関連付けて前記減速開始地点に関する案内を行う請求項１乃至請求項７のいずれかに記載の交通情報案内システム。
【請求項９】
前記減速情報案内手段は、前記渋滞区間の開始点を特定する情報と関連付けて前記減速開始地点に関する案内を行う請求項８に記載の交通情報案内システム。
【請求項１０】
前記渋滞区間に対して進行方向手前側を走行する複数の車両について、各車両が停止した停止地点に関する情報を停止履歴情報として収集する停止履歴収集手段と、
前記停止履歴収集手段の収集結果に基づいて、前記停止地点に関する案内を行う停止情報案内手段と、を有する請求項１乃至請求項９のいずれかに記載の交通情報案内システム。
【請求項１１】
前記停止履歴収集手段によって収集した各車両の前記停止履歴情報を統計する停止履歴統計手段を有し、
前記停止情報案内手段は、前記停止履歴統計手段の統計結果に基づいて、前記停止地点の分布に関する案内を行う請求項１０に記載の交通情報案内システム。
【請求項１２】
前記停止情報案内手段は、
前記渋滞区間の進行方向手前側の道路を所定距離単位で区分し、
区分毎に含まれる前記停止地点の度数を示唆する案内を行う請求項１１に記載の交通情報案内システム。
【請求項１３】
前記停止情報案内手段は、
車両周辺の地図画像を表示装置に表示し、
前記地図画像に含まれる前記渋滞区間の進行方向手前側の道路について、前記区分毎に含まれる前記停止地点の度数に応じた表示態様で表示する請求項１２に記載の交通情報案内システム。
【請求項１４】
前記停止履歴収集手段は、統計を行う時点から所定時間前までの期間において各車両が停止した停止地点に関する情報を、前記停止履歴情報として収集する請求項１１乃至請求項１３のいずれかに記載の交通情報案内システム。
【請求項１５】
渋滞が生じている渋滞区間を特定する情報を取得する渋滞情報取得手段と、
前記渋滞区間に対して進行方向手前側を走行する複数の車両について、各車両が減速を開始した地点或いは各車両において減速操作が開始された地点を減速開始地点とし、前記減速開始地点に関する情報を減速履歴情報として収集する減速履歴収集手段と、
前記減速履歴収集手段の収集結果を、車両に対して配信する減速情報配信手段と、を有する交通情報配信装置。
【請求項１６】
前記渋滞区間に対して進行方向手前側を走行する複数の車両について、各車両が停止した停止地点に関する情報を停止履歴情報として収集する停止履歴収集手段と、
前記停止履歴収集手段の収集結果を、車両に対して配信する停止情報配信手段と、を有する請求項１５に記載の交通情報配信装置。
【発明の詳細な説明】
【技術分野】
【０００１】
本発明は、道路の交通情報の統計並びに案内を行う交通情報案内システム及び交通情報配信装置に関する。
【背景技術】
【０００２】
従来より、ナビゲーション装置等の地図データから得られる道路情報や、センタから取得した交通情報や、ＧＰＳ等によって特定される現在位置等の車両の走行に係る各種情報を取得し、運転手に対する報知や、運転の補助、さらには運転への介入を行うことで適切な運転を行わせる技術について各種提案されている。ここで、車両が道路を走行する上で、道路の走行車線上に車両が停車している渋滞は、他車両への追突などを防ぐ為に運転者が最も注意しなければならない事象の一つである。
【０００３】
そこで、上記渋滞に対して適切な走行を行わせる為に、道路上で渋滞が生じている渋滞区間をより正確に特定し、運転者に案内することが提案されている。例えば、特開２００８−２０９４８号公報には、道路上を走行する各車両から車速に関する情報を収集し、収集したサンプルに基づいて渋滞区間を特定する技術について開示されている。
【先行技術文献】
【特許文献】
【０００４】
【特許文献１】特開２００２−２７９５７７号公報（第７−１５頁、図８）
【発明の概要】
【発明が解決しようとする課題】
【０００５】
ここで、上記特許文献１に記載された技術では、従来に比べて道路上の渋滞区間をより正確に特定することが可能である。しかしながら、運転者は渋滞区間を案内されたのみでは、渋滞区間に対してどのような運転操作を行えば良いのかを把握することができない問題があった。
【０００６】
本発明は前記従来における問題点を解消するためになされたものであり、渋滞区間に対して減速を開始すべき地点を運転者に把握させることによって、渋滞区間に対する適切な走行を行わせることを可能とした交通情報案内システム及び交通情報配信装置を提供することを目的とする。
【課題を解決するための手段】
【０００７】
前記目的を達成するため本発明に係る交通情報案内システムは、渋滞が生じている渋滞区間を特定する情報を取得する渋滞情報取得手段と、前記渋滞区間に対して進行方向手前側を走行する複数の車両について、各車両が減速を開始した地点或いは各車両において減速操作が開始された地点を減速開始地点とし、前記減速開始地点に関する情報を減速履歴情報として収集する減速履歴収集手段と、前記減速履歴収集手段の収集結果に基づいて、前記減速開始地点に関する案内を行う減速情報案内手段と、を有する。
尚、「車両が減速を開始した地点」とは、ブレーキが車両において作動した状態となった地点、減速度が所定値以上になった地点、あるいはそれらが複合した地点などが含まれる。また、「車両において減速操作が開始された地点」とは、運転者によってブレーキが踏まれた地点、アクセルがＯＦＦされた地点、あるいはそれらが複合した地点などが含まれる。
【０００８】
また、本発明に係る交通情報配信装置は、渋滞が生じている渋滞区間を特定する情報を取得する渋滞情報取得手段と、前記渋滞区間に対して進行方向手前側を走行する複数の車両について、各車両が減速を開始した地点或いは各車両において減速操作が開始された地点を減速開始地点とし、前記減速開始地点に関する情報を減速履歴情報として収集する減速履歴収集手段と、前記減速履歴収集手段の収集結果を、車両に対して配信する減速情報配信手段と、を有する。
【発明の効果】
【０００９】
前記構成を有する本発明に係る交通情報案内システム及び交通情報配信装置によれば、道路上を走行する各車両から収集した情報に基づいて、渋滞区間に対して減速を開始すべき地点を運転者に把握させることが可能となる。その結果、渋滞区間に対する適切な走行を行わせることを可能とする。
【図面の簡単な説明】
【００１０】
【図１】本実施形態に係る交通情報案内システムを示した概略構成図である。
【図２】本実施形態に係る交通情報案内システムの構成を示したブロック図である。
【図３】プローブ情報ＤＢに記憶されるプローブ情報の一例を示した図である。
【図４】プローブ統計情報ＤＢに記憶されるプローブ統計情報の一例を示した図である。
【図５】本実施形態に係るナビゲーション装置の制御系を模式的に示すブロック図である。
【図６】本実施形態に係るプローブ情報収集処理プログラムのフローチャートである。
【図７】本実施形態に係る交通情報統計処理プログラムのフローチャートである。
【図８】減速開始地点を統計した統計データの一例を示した図である。
【図９】第１減速区間、第２減速区間、第１停止区間、第２停止区間の例を示した図である。
【図１０】本実施形態に係る交通情報案内処理プログラムのフローチャートである。
【図１１】第１減速区間、第２減速区間、第１停止区間、第２停止区間の案内例について説明した図である。
【図１２】第１減速区間、第２減速区間、第１停止区間、第２停止区間を渋滞区間と関連付けて案内を行う案内例について説明した図である。
【発明を実施するための形態】
【００１１】
以下、本発明に係る交通情報案内システムについて具体化した一実施形態に基づき図面を参照しつつ詳細に説明する。先ず、本実施形態に係る交通情報案内システム１の概略構成について図１及び図２を用いて説明する。図１は本実施形態に係る交通情報案内システム１を示した概略構成図である。図２は本実施形態に係る交通情報案内システム１の構成を示したブロック図である。
【００１２】
図１に示すように、本実施形態に係る交通情報案内システム１は、プローブセンタ２が備えるサーバ装置（交通情報配信装置）３と、車両４に搭載された通信（案内）端末であるナビゲーション装置５と、を基本的に有する。また、サーバ装置３とナビゲーション装置５は通信ネットワーク網６を介して互いに電子データを送受信可能に構成されている。尚、ナビゲーション装置５の代わりに、例えば携帯電話機、スマートフォン、タブレット型端末、パーソナルコンピュータを用いても良い。
【００１３】
ここで、本実施形態に係る交通情報案内システム１は所謂プローブカーシステムを構成する。ここで、プローブカーシステムとは、車両４をセンサとして情報を収集するシステムである。具体的には、車両４が速度データをはじめ、ステアリング操作やシフト位置等の各システムの作動状況をＧＰＳの位置情報とともに予め車両４に搭載された通信装置を介してプローブセンタ２に送信し、センタ側でその収集データを様々な情報として再利用するシステムをいう。
【００１４】
そして、プローブセンタ２が備えるサーバ装置３は、全国を走行する各車両４から現在時刻や走行情報等を含むプローブ情報（材料情報）を適宜収集して蓄積するとともに、蓄積されたプローブ情報から道路に関する各種支援情報（例えば道路の通行止め情報、事故情報、渋滞情報、旅行時間等）を生成し、生成された支援情報をナビゲーション装置５に対して配信したり、支援情報を用いた各種処理を行う情報管理サーバである。特に本実施形態では、サーバ装置３は、車両４が減速を開始した減速開始地点と車両４が停止した停止地点の履歴（具体的には減速開始地点及び停止地点の位置座標）を各車両４から収集し、収集した各情報に基づいて減速開始地点と停止地点の分布に関する統計データを作成し、車両４に対して配信する。
【００１５】
一方、ナビゲーション装置５は、車両４に搭載され、格納する地図データに基づいて自車位置周辺の地図を表示したり、地図画像上において車両の現在位置を表示したり、設定された案内経路に沿った移動案内を行う車載機である。また、ナビゲーション装置５はサーバ装置３から受信した減速開始地点と停止地点の分布に関する情報を利用者に対して案内することについても行う。尚、ナビゲーション装置５の詳細については後述する。
【００１６】
また、通信ネットワーク網６は全国各地に配置された多数の基地局と、各基地局を管理及び制御する通信会社とを含み、基地局及び通信会社を有線（光ファイバー、ＩＳＤＮ等）又は無線で互いに接続することにより構成されている。ここで、基地局はナビゲーション装置５との通信をするトランシーバー（送受信機）とアンテナを有する。そして、基地局は通信会社の間で無線通信を行う一方、通信ネットワーク網６の末端となり、基地局の電波が届く範囲（セル）にあるナビゲーション装置５の通信をサーバ装置３との間で中継する役割を持つ。
【００１７】
続いて、交通情報案内システム１を構成するサーバ装置３の構成について図２を用いてより詳細に説明する。
【００１８】
サーバ装置３は、図２に示すようにサーバ制御ＥＣＵ１１と、サーバ制御ＥＣＵ１１に接続された情報記録手段としてのプローブ情報ＤＢ１２と、プローブ統計情報ＤＢ１３と、センタ通信装置１４とから基本的に構成されている。
【００１９】
サーバ制御ＥＣＵ１１（エレクトロニック・コントロール・ユニット）は、サーバ装置３の全体の制御を行う電子制御ユニットであり、演算装置及び制御装置としてのＣＰＵ２１、並びにＣＰＵ２１が各種の演算処理を行うにあたってワーキングメモリとして使用されるＲＡＭ２２、制御用のプログラムのほか、後述のプローブ情報収集処理プログラム（図６参照）や交通情報統計処理プログラム（図７参照）等が記録されたＲＯＭ２３、ＲＯＭ２３から読み出したプログラムを記憶するフラッシュメモリ２４等の内部記憶装置を備えている。尚、サーバ制御ＥＣＵ１１は、後述のナビゲーション装置５のＥＣＵとともに処理アルゴリズムとしての各種手段を構成する。例えば、渋滞情報取得手段は、渋滞が生じている渋滞区間を特定する情報を取得する。減速履歴収集手段は、渋滞区間に対して進行方向手前側を走行する複数の車両について、各車両が減速を開始した地点或いは各車両において減速操作が開始された地点を減速開始地点とし、減速開始地点に関する情報を減速履歴情報として収集する。減速情報配信手段は、減速履歴収集手段の収集結果を、渋滞区間を走行する予定の車両に対して配信する。
【００２０】
また、プローブ情報ＤＢ１２は、全国を走行する各車両４から収集したプローブ情報を累積的に記憶する記憶手段である。尚、本実施形態においては、車両４から収集されるプローブ情報として、特に（ａ）日時、（ｂ）車両４が走行するリンク、（ｃ）、車両４の進行方向、（ｄ）車両４が減速を開始した減速開始地点（ブレーキ動作を開始した地点、アクセルがＯＦＦされた地点等）の座標、（ｅ）車両４が停止した停止地点（車速が０となった地点）の座標が含まれる。但し、プローブ情報としては上記（ａ）〜（ｅ）に関する情報を必ずしも全て含む必要はなく、例えば（ｄ）又は（ｅ）に関する情報のみを含む構成としても良い。また、本実施形態に係る交通情報案内システム１では、後述のように全国の各道路の内、特に渋滞区間に対して進行方向手前側の所定距離以内の減速開始地点及び停止地点の統計を行うので、渋滞区間の周辺を走行した車両のみからプローブ情報を収集しても良い。
【００２１】
図３はプローブ情報ＤＢ１２に記憶されるプローブ情報の一例を示した図である。図３に示すように、プローブ情報は、送信元の車両を識別する車両ＩＤと、上記（ａ）〜（ｅ）に関する情報等が含まれる。例えば、図３に示すプローブ情報は、ＩＤ“Ａ”の車両４がＩＤ“１００００１”のリンクの上り方向の走行中に、１２月２日の９：００：０５に（ｘ１、ｙ１）で減速を開始し、９：００：０８に（ｘ１１、ｙ１１）で停止したことが記憶されている。同様にして、他のプローブ情報についても記憶されている。
【００２２】
一方で、プローブ統計情報ＤＢ１３は、上記プローブ情報ＤＢ１２に格納されるプローブ情報を統計することによって生成されたプローブ統計情報（配信情報）を累積的に記憶する記憶手段である。特に本実施形態では、プローブ情報の統計を行うことによって導出された減速開始地点の分布に基づいて、度数が高い区間（即ち減速開始地点が集中する区間）を第１減速区間、並びに第２減速区間として特定する。一方、プローブ情報の統計を行うことによって導出された停止地点の分布に基づいて、度数が高い区間（即ち停止地点が集中する区間）を第１停止区間、並びに第２停止区間として特定する。尚、第１減速区間、第２減速区間、第１停止区間、第２停止区間の詳細については後述する。
【００２３】
図４はプローブ統計情報ＤＢ１３に記憶されるプローブ統計情報の一例を示した図である。図４に示すようにプローブ統計情報は、統計を行った日時を特定する情報と、渋滞区間の進行方向手前側（但し渋滞区間と重複する場合もあり）において後述のように特定された第１減速区間、第２減速区間、第１停止区間、第２停止区間の位置や範囲を特定する情報とを含む。尚、各区間の位置や範囲は基本的にリンクＩＤを用いて特定されるが、座標等を用いて特定しても良い。また、統計対象となった車両の台数（分布の母数）についても記憶される。
【００２４】
そして、サーバ装置３は、プローブ統計情報ＤＢ１３に記憶されたプローブ統計情報をナビゲーション装置５の要求に応じてナビゲーション装置５に配信する。一方で、プローブ統計情報の配信されたナビゲーション装置５は、配信されたプローブ統計情報を用いて後述のように第１減速区間、第２減速区間、第１停止区間、第２停止区間を案内する各種処理を実行する。
【００２５】
また、センタ通信装置１４は、車両４やＶＩＣＳ（登録商標：Vehicle Information and Communication System）センタ等の外部の交通情報センタとネットワーク１５を介して通信を行う為の通信装置である。本実施形態では、センタ通信装置１４を介してプローブ情報や配信情報を各車両４との間で送受信する。また、渋滞区間を特定する情報を外部の交通情報センタから取得する。但し、渋滞区間については、外部のサーバから取得するのではなく各車両４から収集したプローブ情報に基づいてサーバ装置３が特定しても良い。
【００２６】
次に、車両４に搭載されたナビゲーション装置５の概略構成について図５を用いて説明する。図５は本実施形態に係るナビゲーション装置５を示したブロック図である。
【００２７】
図５に示すように本実施形態に係るナビゲーション装置５は、ナビゲーション装置５が搭載された車両の現在位置を検出する現在位置検出部３１と、各種のデータが記録されたデータ記録部３２と、入力された情報に基づいて、各種の演算処理を行うナビゲーションＥＣＵ３３と、ユーザからの操作を受け付ける操作部３４と、ユーザに対して車両周辺の地図やナビゲーション装置５で設定されている案内経路（車両の走行予定経路）に関する情報等を表示する液晶ディスプレイ３５と、経路案内に関する音声ガイダンスを出力するスピーカ３６と、記憶媒体であるＤＶＤを読み取るＤＶＤドライブ３７と、プローブセンタ２やＶＩＣＳセンタ等の情報センタとの間で通信を行う通信モジュール３８と、から構成されている。
【００２８】
以下に、ナビゲーション装置５を構成する各構成要素について順に説明する。
現在位置検出部３１は、ＧＰＳ４１、車速センサ４２、ステアリングセンサ４３、ジャイロセンサ４４等からなり、現在の車両の位置、方位、車両の走行速度、現在時刻等を検出することが可能となっている。ここで、特に車速センサ４２は、車両の移動距離や車速を検出する為のセンサであり、車両の駆動輪の回転に応じてパルスを発生させ、パルス信号をナビゲーションＥＣＵ３３に出力する。そして、ナビゲーションＥＣＵ３３は発生するパルスを計数することにより駆動輪の回転速度や移動距離を算出する。尚、上記４種類のセンサをナビゲーション装置５が全て備える必要はなく、これらの内の１又は複数種類のセンサのみをナビゲーション装置５が備える構成としても良い。
【００２９】
また、データ記録部３２は、外部記憶装置及び記録媒体としてのハードディスク（図示せず）と、ハードディスクに記録された地図情報ＤＢ４５、走行履歴ＤＢ４６、配信情報ＤＢ４７、所定のプログラム等を読み出すとともにハードディスクに所定のデータを書き込む為のドライバである記録ヘッド（図示せず）とを備えている。尚、データ記録部３２をハードディスクの代わりにフラッシュメモリやメモリーカードやＣＤやＤＶＤ等の光ディスクにより構成しても良い。また、地図情報ＤＢ４５、走行履歴ＤＢ４６、配信情報ＤＢ４７は外部のサーバに格納させ、ナビゲーション装置５が通信により取得する構成としても良い。
【００３０】
ここで、地図情報ＤＢ４５は、例えば、道路（リンク）に関するリンクデータ、ノード点に関するノードデータ、経路の探索や変更に係る処理に用いられる探索データ、施設に関する施設データ、地図を表示するための地図表示データ、各交差点に関する交差点データ、地点を検索するための検索データ等が記憶された記憶手段である。
【００３１】
また、走行履歴ＤＢ４６は、車両４の走行情報を累積して記憶した記憶手段である。尚、本実施形態では特に車両４が減速を開始した減速開始地点（ブレーキ動作を開始した地点、アクセルがＯＦＦされた地点等）の座標と、車両４が停止した停止地点（車速が０となった地点）の座標を記憶する。尚、車両４の現在位置はＧＰＳ４１や車速センサ４２を用いて検出しても良いが、高精度ロケーション技術を用いて詳細に特定することが望ましい。尚、走行履歴ＤＢ４６に記憶された走行情報はプローブ情報としてサーバ装置３へと随時送信される。
【００３２】
また、配信情報ＤＢ４７は、サーバ装置３から配信される配信情報（プローブ統計情報）が記憶される記憶手段である。
【００３３】
一方、ナビゲーションＥＣＵ（エレクトロニック・コントロール・ユニット）３３は、ナビゲーション装置５の全体の制御を行う電子制御ユニットであり、演算装置及び制御装置としてのＣＰＵ５１、並びにＣＰＵ５１が各種の演算処理を行うにあたってワーキングメモリとして使用されるとともに、経路が探索されたときの経路データ等が記憶されるＲＡＭ５２、制御用のプログラムのほか、後述のプローブ情報収集処理プログラム（図６参照）や交通情報案内処理プログラム（図１０参照）等が記録されたＲＯＭ５３、ＲＯＭ５３から読み出したプログラムを記憶するフラッシュメモリ５４等の内部記憶装置を備えている。
【００３４】
操作部３４は、走行開始地点としての出発地及び走行終了地点としての目的地を入力する際等に操作され、各種のキー、ボタン等の複数の操作スイッチ（図示せず）から構成される。そして、ナビゲーションＥＣＵ３３は、各スイッチの押下等により出力されるスイッチ信号に基づき、対応する各種の動作を実行すべく制御を行う。尚、操作部３４は液晶ディスプレイ３５の前面に設けたタッチパネルによって構成することもできる。また、マイクと音声認識装置によって構成することもできる。
【００３５】
また、液晶ディスプレイ３５には、道路を含む地図画像、交通情報、操作案内、操作メニュー、キーの案内、案内経路（走行予定経路）に沿った案内情報、ニュース、天気予報、時刻、メール、テレビ番組等が表示される。また、本実施形態では、特に車両の今後の走行予定経路に渋滞区間がある場合には、後述のサーバ装置３の統計処理によって特定された第１減速区間、第２減速区間、第１停止区間、第２停止区間の案内についても表示される。尚、液晶ディスプレイ３５の代わりに、ＨＵＤやＨＭＤを用いても良い。
【００３６】
また、スピーカ３６は、ナビゲーションＥＣＵ３３からの指示に基づいて案内経路（走行予定経路）に沿った走行を案内する音声ガイダンスや、交通情報の案内を出力する。
【００３７】
また、ＤＶＤドライブ３７は、ＤＶＤやＣＤ等の記録媒体に記録されたデータを読み取り可能なドライブである。そして、読み取ったデータに基づいて音楽や映像の再生、地図情報ＤＢ４５の更新等が行われる。尚、ＤＶＤドライブ３７に替えてメモリーカードを読み書きする為のカードスロットを設けても良い。
【００３８】
また、通信モジュール３８は、交通情報センタ、例えば、ＶＩＣＳセンタやその他の外部センタ等から送信された交通情報、天候情報等を受信する為の通信装置であり、例えば携帯電話機やＤＣＭが該当する。また、車車間で通信を行う車車間通信装置や路側機との間で通信を行う路車間通信装置も含む。また、プローブ情報や配信情報をサーバ装置３との間で送受信するのにも用いられる。
【００３９】
続いて、前記構成を有する交通情報案内システム１を構成するサーバ装置３及びナビゲーション装置５において実行するプローブ情報収集処理プログラムについて図６に基づき説明する。図６は本実施形態に係るプローブ情報収集処理プログラムのフローチャートである。ここで、プローブ情報収集処理プログラムは車両のＡＣＣ電源(accessory power supply)がＯＮされた後に所定時間間隔で繰り返し実行され、車両４が減速を開始した地点や停止した地点をプローブ情報としてサーバ装置３が収集するプログラムである。尚、以下の図６、図７及び図１０にフローチャートで示されるプログラムは、サーバ装置３が備えているＲＡＭ２２やＲＯＭ２３又はナビゲーション装置５が備えているＲＡＭ５２やＲＯＭ５３等に記憶されており、ＣＰＵ２１又はＣＰＵ５１により実行される。
【００４０】
先ず、ナビゲーション装置５において実行されるプローブ情報収集処理プログラムについて説明する。
ステップ（以下、Ｓと略記する）１においてＣＰＵ５１は、ＧＰＳ４１や車速センサ４２等の各種センサの検出結果を用いて、車両４の現在位置、方位、現在車速等を取得する。また、ＣＡＮを介して車両制御ＥＣＵ等からブレーキやアクセルの動作状況についても取得する。
【００４１】
次に、Ｓ２においてＣＰＵ５１は、前記Ｓ１で取得された情報に基づいて車両４が減速を開始したか否かを判定する。具体的には、車両４においてブレーキ動作が開始された場合、或いはアクセルがＯＦＦされた場合に車両４が減速を開始したと判定する。
【００４２】
そして、車両４が減速を開始したと判定された場合（Ｓ２：ＹＥＳ）には、Ｓ３へと移行する。それに対して、車両４が減速を開始していないと判定された場合（Ｓ２：ＮＯ）には、Ｓ５へと移行する。
【００４３】
Ｓ３においてＣＰＵ５１は、現在位置検出部３１を用いて車両４が減速を開始した地点である減速開始地点の位置座標を取得する。また、車両が走行するリンク（減速開始地点が含まれるリンク）のリンクＩＤについても取得される。
【００４４】
続いて、Ｓ４においてＣＰＵ５１は、前記Ｓ３で取得した減速開始地点の位置座標を含む情報をプローブ情報としてサーバ装置３へと送信する。具体的には、“車両が減速を開始した日時”と、“自車を識別する車両ＩＤ”と、“減速開始地点の位置座標”と、“車両の進行方向”と“車両が走行するリンクのリンクＩＤ”を送信する。その後、当該プローブ情報収集処理プログラムを終了する。
【００４５】
一方、Ｓ５においてＣＰＵ５１は、前記Ｓ１で取得された情報に基づいて車両４が停止したか否かを判定する。具体的には、車両４の車速が０となった場合に車両４が停止したと判定する。
【００４６】
そして、車両４が停止したと判定された場合（Ｓ５：ＹＥＳ）には、Ｓ６へと移行する。それに対して、車両４が停止していないと判定された場合（Ｓ５：ＮＯ）には、当該プローブ情報収集処理プログラムを終了する。
【００４７】
Ｓ６においてＣＰＵ５１は、現在位置検出部３１を用いて車両４が停止した地点である停止地点の位置座標を取得する。また、車両が走行するリンク（停止地点が含まれるリンク）のリンクＩＤについても取得される。
【００４８】
続いて、Ｓ７においてＣＰＵ５１は、前記Ｓ６で取得した停止地点の位置座標を含む情報をプローブ情報としてサーバ装置３へと送信する。具体的には、“車両が停止した日時”と、“自車を識別する車両ＩＤ”と、“停止地点の位置座標”と、“車両の進行方向”と“車両が走行するリンクのリンクＩＤ”を送信する。その後、当該プローブ情報収集処理プログラムを終了する。
【００４９】
次に、サーバ装置３において実行されるプローブ情報収集処理プログラムについて説明する。
先ず、Ｓ１１においてＣＰＵ２１は、全国を走行する各車両４からプローブ情報の送信があるか否か判定する。
【００５０】
そして、プローブ情報の送信があると判定された場合（Ｓ１１：ＹＥＳ）には、送信されるプローブ情報を受信する（Ｓ１２）。そして、ＣＰＵ２１は受信したプローブ情報をプローブ情報ＤＢ１２へと累積的に格納する（Ｓ１３）。
【００５１】
一方、プローブ情報の送信がないと判定された場合（Ｓ１１：ＮＯ）には、当該プローブ情報収集処理プログラムを終了する。尚、前記Ｓ１２で受信するプローブ情報は、車両４の減速開始地点及び停止地点に関する情報であり、“車両が減速を開始した（或いは停止した）日時”と、“自車を識別する車両ＩＤ”と、“減速開始地点（或いは停止地点）の位置座標”と、“車両の進行方向”と“車両が走行するリンクのリンクＩＤ”等が含まれる（図３参照）。
【００５２】
次に、交通情報案内システム１を構成するサーバ装置３において実行する交通情報統計処理プログラムについて図７に基づき説明する。図７は本実施形態に係る交通情報統計処理プログラムのフローチャートである。ここで、交通情報統計処理プログラムは、前回プログラムを実行した時から所定時間（例えば１分）経過後に実行され、各車両４から送信されたプローブ情報に基づいて、渋滞区間に対して車両が減速を開始した地点や停止した地点の統計を行うプログラムである。
【００５３】
先ず、Ｓ２１においてＣＰＵ２１は、ＶＩＣＳセンタ等の交通情報センタから最新の渋滞情報を取得する。尚、渋滞情報には全国で生じている渋滞の渋滞区間を特定する情報を含む。但し、渋滞区間については、外部のサーバから取得するのではなく各車両４から収集したプローブ情報に基づいてサーバ装置３が自ら特定しても良い。
【００５４】
以下のＳ２２〜Ｓ２５の処理は前記Ｓ２１で取得した渋滞情報に含まれる渋滞区間単位でループして実行し、前記Ｓ２１で取得した渋滞情報に含まれる全ての渋滞区間に対する処理が終了するまで繰り返し行う。
【００５５】
先ず、Ｓ２２でＣＰＵ２１は、現時点でプローブ情報ＤＢ１２に格納されているプローブ情報の内、現時点（即ち統計を行う時点）から所定時間（例えば１分）前までの期間において行われた減速及び停止に係るプローブ情報を抽出する。尚、プローブ情報は、図３に示すように“車両が減速を開始した（或いは停止した）日時”と、“自車を識別する車両ＩＤ”と、“減速開始地点（或いは停止地点）の位置座標”と、“車両の進行方向”と“車両が走行するリンクのリンクＩＤ”を含んでいる。特に“車両が減速を開始した（或いは停止した）日時”が現時点から所定時間前までの期間に該当するプローブ情報を抽出する。
【００５６】
次に、Ｓ２３及びＳ２４においてＣＰＵ２１は、前記Ｓ２２で抽出されたプローブ情報を統計することによって、減速開始地点と停止地点の分布を特定する。以下の説明では、交通情報統計処理プログラムは１分間隔で実行され、統計を行う時点から直近１分以内に行われた減速に係る減速開始地点と停止に係る停止地点を統計対象とする例について説明する。但し、統計処理を行う間隔や統計対象とする期間については適宜変更可能であり、５分間隔や１０分間隔としても良い。
【００５７】
先ずＳ２３においてＣＰＵ２１は、渋滞が生じている渋滞区間の進行方向手前側の道路（渋滞区間も含む）を所定距離単位（例えば１０ｍ単位）で区分し、区分毎に含まれる減速開始地点及び停止地点の度数を算出する。例えば図８は減速開始地点を統計した統計データの一例を示した図である。図８に示すように減速開始地点の統計データは、道路を１０ｍ単位で区分し、統計対象となる直近１分以内の減速開始地点について、区分毎に含まれる度数を算出している。
【００５８】
また、前記Ｓ２３において統計の対象とする減速開始地点及び停止地点は、渋滞区間から進行方向手前側に所定距離（例えば１００ｍ）内の範囲（渋滞区間は含めても含めなくても良い）にある減速開始地点及び停止地点とする。渋滞区間以外の要因に基づいて減速された減速開始地点や渋滞区間以外の要因に基づいて停止した停止地点を排除する為である。尚、上記所定距離は適宜設定可能であるが、道路種別や制限速度等に基づいて設定するのが望ましい。例えば、国道や高速道路などの制限速度の速い道路については、所定距離をより長く設定することが可能である。更に、統計対象から除かれる減速開始地点及び停止地点については、予め収集対象から除いておいても良い。
【００５９】
更に、前記Ｓ２３においてＣＰＵ２１は、分布の平均値μ及び標準偏差σを算出する。そして、平均値μ±σの範囲を含む道路上の区間と、平均値μ±２σの範囲を含む道路上の区間とを、統計に用いた道路の区分単位（例えば１０ｍ単位）でそれぞれ特定する。例えば図８に示す例では地点Ｂから地点Ｃまでの区間が、平均値μ±σの範囲を含む道路上の区間となる。また、地点Ａから地点Ｄまでの区間が、平均値μ±２σの範囲を含む道路上の区間となる。
【００６０】
その後、Ｓ２４においてＣＰＵ２１は、減速開始地点について平均値μ±σの範囲を含む道路上の区間を第１減速区間とし、平均値μ±２σの範囲を含む道路上の区間の内、第１減速区間を除いた区間を第２減速区間として特定する。同様に、停止地点について平均値μ±σの範囲を含む道路上の区間を第１停止区間とし、平均値μ±２σの範囲を含む道路上の区間の内、第１停止区間を除いた区間を第２停止区間として特定する。第１減速区間、第２減速区間、第１停止区間、第２停止区間は統計に用いた道路の区分単位（例えば１０ｍ単位）で特定される。
【００６１】
ここで、図９は前記Ｓ２４で特定された第１減速区間５５、第２減速区間５６、第１停止区間５７、第２停止区間５８の例を示した図である。図９に示すように渋滞区間の進行方向手前側において、第１減速区間５５、第２減速区間５６、第１停止区間５７、第２停止区間５８が特定される。尚、第２減速区間５６は第１減速区間５５の前後に位置し、第２停止区間５８は第１停止区間５７の前後に位置する。また、第１減速区間５５及び第２減速区間５６よりも第１停止区間５７及び第２停止区間５８は渋滞区間に近い位置にあり、第１停止区間５７及び第２停止区間５８は渋滞区間と重複する場合もある。
【００６２】
尚、第１減速区間５５は統計対象となった車両（即ち渋滞区間の手前で減速を開始した車両）の内、およそ７０％の車両が減速を開始した区間に相当し、第２減速区間５６はおよそ２０％の車両が減速を開始した区間に相当する。また、第１停止区間５７は統計対象となった車両（即ち渋滞区間の手前で停止した車両）の内、およそ７０％の車両が停止した区間に相当し、第２停止区間５８はおよそ２０％の車両が停止した区間に相当する。上記第１減速区間５５、第２減速区間５６、第１停止区間５７、第２停止区間５８が、統計処理の統計結果に相当する。
【００６３】
続いて、Ｓ２５においてＣＰＵ２１は、前記Ｓ２３及びＳ２４で特定された第１減速区間、第２減速区間、第１停止区間、第２停止区間を、プローブ統計情報（配信情報）として、プローブ統計情報ＤＢ１３に格納する（図４参照）。
【００６４】
その後、未処理の渋滞区間が残っている場合にはＳ２２へと戻り、同様にしてＳ２２〜Ｓ２５の処理を行う。その結果、全国の道路上にある渋滞区間毎に、上述した減速開始地点及び停止地点に関する統計処理が行われる。一方、全ての渋滞区間に対するＳ２２〜Ｓ２５の処理が終了した場合にはＳ２６へと移行する。
【００６５】
Ｓ２６でＣＰＵ２１は、プローブ統計情報ＤＢ１３に格納されている第１減速区間、第２減速区間、第１停止区間及び第２停止区間に関する情報を、配信情報として要求のあった車両４に配信する。尚、配信要求の有無に関わらず通信可能な状態にある全ての車両４に対して配信しても良い。或いは、渋滞区間を走行する予定の車両のみに対して配信するようにしても良い。
【００６６】
次に、交通情報案内システム１を構成するナビゲーション装置５において実行する交通情報案内処理プログラムについて図１０に基づき説明する。図１０は本実施形態に係る交通情報案内処理プログラムのフローチャートである。ここで、交通情報案内処理プログラムは車両のＡＣＣ電源(accessory power supply)がＯＮされた後に実行され、前述の交通情報統計処理プログラム（図７）で特定された第１減速区間、第２減速区間、第１停止区間、第２停止区間を車両の乗員に対して案内するプログラムである。
【００６７】
先ず、交通情報案内処理プログラムでは、Ｓ３１においてＣＰＵ５１は、サーバ装置３から配信された配信情報を受信する。尚、受信された配信通情報は配信情報ＤＢ４７に格納される。また、受信した配信情報には、前述の交通情報統計処理プログラム（図７）で特定された第１減速区間、第２減速区間、第１停止区間、第２停止区間を特定する情報が含まれる。
【００６８】
次に、Ｓ３２においてＣＰＵ５１は、車両４に関する車両情報を取得する。ここで、前記Ｓ３２で取得される車両情報としては、車両４の現在位置、方位、車両が今後に走行する予定の走行予定経路に関する情報である。尚、車両の走行予定経路は、案内経路がナビゲーション装置５で設定されている場合には案内経路とし、案内経路が設定されていない場合には道なりの経路とする。
【００６９】
続いて、Ｓ３３においてＣＰＵ５１は、前記Ｓ３２で取得した車両情報に基づいて、車両の走行予定経路上に渋滞区間があって、且つ渋滞区間までの距離が所定距離（例えば７００ｍ）以内であるか否か判定する。
【００７０】
そして、車両の走行予定経路上に渋滞区間があって、且つ渋滞区間までの距離が所定距離以内であると判定された場合（Ｓ３３：ＹＥＳ）には、Ｓ３４へと移行する。それに対して、車両の走行予定経路上に渋滞区間が無い、或いは渋滞区間までの距離が所定距離より離れていると判定された場合（Ｓ３３：ＮＯ）には、当該交通情報案内処理プログラムを終了する。
【００７１】
Ｓ３４においてＣＰＵ５１は、所定距離以内に位置する渋滞区間に対する第１減速区間、第２減速区間、第１停止区間、第２停止区間の案内を行う。具体的には、液晶ディスプレイ３５に表示された地図画像上において、第１減速区間と第２減速区間と第１停止区間と第２停止区間とが識別できるように表示する。
【００７２】
例えば、図１１は車両の走行予定経路上に渋滞区間があって、且つ渋滞区間までの距離が所定距離以内であると判定された場合に液晶ディスプレイ３５に表示される走行案内画面６１の一例を示した図である。図１１に示すように液晶ディスプレイ３５に表示された地図画像上において、自車両の現在位置を示す自車位置マーク６２とともに、第１減速区間に対応する箇所に第１画像６３を重畳して表示する。また、第２減速区間に対応する箇所に第２画像６４を重畳して表示する。また、第１停止区間に対応する箇所に第３画像６５を重畳して表示する。また、第２停止区間に対応する箇所に第４画像６６を重畳して表示する。ここで、第１画像６３と第２画像６４と第３画像６５と第４画像６６は、異なる表示色或いは異なる模様の画像とする。それによって、車両の乗員が走行案内画面６１を視認した際に、第１減速区間、第２減速区間、第１停止区間、第２停止区間を容易に識別して把握することが可能となる。
【００７３】
また、前述したように第１減速区間及び第２減速区間は減速開始地点の分布において度数が高い区間であり、特に第１減速区間は度数の高い区間となる。また、第１停止区間及び第２停止区間は停止地点の分布において度数が高い区間であり、特に第１停止区間は度数の高い区間となる。従って、車両の乗員は走行案内画面６１を視認することによって、減速開始地点や停止地点の分布態様を把握でき、特にどの区間に減速開始地点や停止地点が集中しているかを把握可能となる。また、車両の乗員は減速開始地点が集中する区間、即ち第１減速区間や第２減速区間でブレーキ操作を開始し、停止地点が集中する区間、即ち第１停止区間や第２停止区間で停止するようにブレーキを調整すれば、車両の進行方向にある渋滞区間に対して適切な走行を行うことが可能となる。
【００７４】
また、第１減速区間、第２減速区間、第１停止区間、第２停止区間の案内を行う場合には、渋滞区間と関連付けて案内を行うことも可能である。例えば、図１２に示すように走行案内画面６１に含まれる渋滞区間については、渋滞区間であることを示すマーク（線分や矢印など）７１を表示し、更にマーク７１に対して第１画像６３、第２画像６４、第３画像６５、第４画像６６を線や矢印で結ぶように表示する。それによって、渋滞区間が複数ある場合であっても、各画像で示される第１減速区間、第２減速区間、第１停止区間、第２停止区間が、どの渋滞区間に対する第１減速区間、第２減速区間、第１停止区間、第２停止区間を示しているのかを容易に把握することが可能となる。また、走行案内画面６１に表示されるマーク７１の手前側の端部は、特に渋滞区間の開始点を示しているので、運転者は渋滞区間の開始点と該渋滞区間に対する第１減速区間、第２減速区間、第１停止区間、第２停止区間を関連付けて把握することが可能となる。
【００７５】
尚、前記Ｓ３４では、ＨＵＤ（ヘッドアップディスプレイ）を用いて実景の道路に第１画像６３、第２画像６４、第３画像６５及び第４画像６６を重畳表示しても良い。
【００７６】
以上詳細に説明した通り、本実施形態に係る交通情報案内システム１及びサーバ装置３では、渋滞が生じている渋滞区間を特定する情報を取得し（Ｓ２１）、渋滞区間に対して進行方向手前側を走行する複数の車両について、各車両が減速を開始した減速開始地点及び停止した停止地点に関する情報を収集し（Ｓ１２）、各車両からの情報の収集結果に基づいて、当該渋滞区間を走行する車両に対して減速開始地点及び停止地点についての案内を行う（Ｓ２６、Ｓ３４）ので、道路上を走行する各車両から収集した情報に基づいて自車両の走行予定経路上にある渋滞区間に対して減速を開始すべき地点や停止すべき地点を運転者に把握させることが可能となる。その結果、渋滞区間に対する適切な走行を行わせることを可能とする。
【００７７】
尚、本発明は前記実施形態に限定されるものではなく、本発明の要旨を逸脱しない範囲内で種々の改良、変形が可能であることは勿論である。
例えば、本実施形態では図１１に示すように地図画像の道路上に追加の画像を表示することによって第１減速区間、第２減速区間、第１停止区間、第２停止区間を車両の乗員に案内しているが、各区間を車両の乗員が識別可能であれば他の方法を用いても良い。例えば、音声案内により案内しても良い。
【００７８】
また、本実施形態では減速開始地点の分布に基づいて減速開始地点が集中する区間を、度数に応じて第１減速区間及び第２減速区間の２段階に区分して特定しているが、３段階以上或いは１段階のみで区分しても良い。同様に停止地点の分布に基づいて停止地点が集中する区間を、度数に応じて第１停止区間及び第２停止区間の２段階に区分して特定しているが、３段階以上或いは１段階のみで区分しても良い。
【００７９】
また、本実施形態では道路を走行する各車両から減速開始地点として、“車両が減速を開始した地点”を収集しているが、“車両において減速操作が開始された地点”を減速開始地点として収集しても良い。その場合には、自車両の走行予定経路上にある渋滞区間に対して特に減速操作を開始すべき地点を運転者に把握させることが可能となる。尚、“車両において減速操作が開始された地点”には、運転者によってブレーキが踏まれた地点、アクセルがＯＦＦされた地点、あるいはそれらが複合した地点などが含まれる。
【００８０】
また、本実施形態では収集した減速開始地点及び停止地点をサーバ装置３において統計し、その統計結果に基づいてナビゲーション装置５で案内を行うこととしているが、統計処理については行わず、減速開始地点及び停止地点の収集結果のみに基づいてナビゲーション装置５で案内を行うことも可能である。例えば収集した減速開始地点や停止地点の内、最近値や最遠値などを案内することが可能である。
【００８１】
また、本実施形態では車両の走行予定経路上に渋滞区間のある車両、即ち渋滞区間を今後に走行する予定の車両に対して、渋滞区間に対する第１減速区間、第２減速区間、第１停止区間、第２停止区間の案内を行うこととしているが、渋滞区間を今後に走行する予定の車両以外の車両に対して案内を行うことも可能である。例えば、液晶ディスプレイ３５に表示された地図画像に渋滞区間を含む車両に対して案内を行うことも可能である。
【００８２】
また、本実施形態では渋滞区間の進行方向手前側における減速開始地点及び停止地点の分布を統計して案内することとしているが、車両の減速や停止が生じるエリアであれば渋滞区間以外に対して適用することも可能である。例えば、交差点の進行方向手前側における減速開始地点及び停止地点の分布を統計して案内しても良い。
【００８３】
また、本実施形態では図７に示す交通情報統計処理プログラムの実行主体は、サーバ装置３であったが、ナビゲーション装置５が実行する構成としても良い。また、サーバ装置３とナビゲーション装置５が夫々一部を実行する構成としても良い。尚、交通情報統計処理プログラムをナビゲーション装置５が実行する場合には、他車両の減速開始地点や停止地点の履歴についてサーバ装置３を介して取得するか、又は車車間通信により取得することが望ましい。
【００８４】
また、ナビゲーション装置５の代わりに、走行案内機能を有する他の装置で交通情報案内システム１を構成することも可能である。例えば、ナビゲーション装置５以外の車載器、携帯電話機、スマートフォン、タブレット端末、パーソナルコンピュータ等が可能である。
【００８５】
また、本発明に係る交通情報案内システムを具体化した実施例について上記に説明したが、交通情報案内システムは以下の構成を有することも可能であり、その場合には以下の効果を奏する。
【００８６】
例えば、第１の構成は以下のとおりである。
渋滞が生じている渋滞区間を特定する情報を取得する渋滞情報取得手段（２１）と、前記渋滞区間に対して進行方向手前側を走行する複数の車両（４）について、各車両が減速を開始した地点或いは各車両において減速操作が開始された地点を減速開始地点とし、前記減速開始地点に関する情報を減速履歴情報として収集する減速履歴収集手段（２１）と、前記減速履歴収集手段の収集結果に基づいて、前記減速開始地点に関する案内を行う減速情報案内手段（５１）と、を有する。
上記構成を有する交通情報案内システムによれば、道路上を走行する各車両から収集した情報に基づいて、渋滞区間に対して減速を開始すべき地点を運転者に把握させることが可能となる。その結果、渋滞区間に対する適切な走行を行わせることを可能とする。
【００８７】
また、第２の構成は以下のとおりである。
前記減速履歴収集手段によって収集した各車両の前記減速履歴情報を統計する減速履歴統計手段（２１）を有し、前記減速情報案内手段（５１）は、前記減速履歴統計手段の統計結果に基づいて、前記減速開始地点の分布に関する案内を行う。
上記構成を有する交通情報案内システムによれば、各車両から収集した情報を統計することによって、渋滞区間に対して減速を開始すべき地点をより正確に特定し、運転者に把握させることが可能となる。
【００８８】
また、第３の構成は以下のとおりである。
前記減速情報案内手段（５１）は、前記渋滞区間の進行方向手前側の道路を所定距離単位で区分し、区分毎に含まれる前記減速開始地点の度数を示唆する案内を行う。
上記構成を有する交通情報案内システムによれば、渋滞区間の手前側で減速開始地点の集中している区間を車両の乗員が把握することが可能となる。そして、車両の乗員は減速開始地点が集中する区間でブレーキ操作を開始すれば、車両の進行方向にある渋滞区間に対して適切な走行を行うことが可能となる。
【００８９】
また、第４の構成は以下のとおりである。
前記減速情報案内手段（５１）は、車両周辺の地図画像を表示装置（３５）に表示し、前記地図画像に含まれる前記渋滞区間の進行方向手前側の道路について、前記区分毎に含まれる前記減速開始地点の度数に応じた表示態様で表示する。
上記構成を有する交通情報案内システムによれば、表示装置に表示された地図画像を車両の乗員に視認させることによって、渋滞区間の手前側で減速開始地点の集中している区間を車両の乗員が把握することが可能となる。そして、車両の乗員は減速開始地点が集中する区間でブレーキ操作を開始すれば、車両の進行方向にある渋滞区間に対して適切な走行を行うことが可能となる。
【００９０】
また、第５の構成は以下のとおりである。
前記減速履歴収集手段（２１）は、統計を行う時点から所定時間前までの期間において各車両が減速を開始した減速開始地点に関する情報を、前記減速履歴情報として収集する。
上記構成を有する交通情報案内システムによれば、特に案内が行われる現時点において渋滞区間の手前側で減速開始地点の集中している区間を車両の乗員に把握させることが可能となる。
【００９１】
また、第６の構成は以下のとおりである。
前記減速情報案内手段（５１）は、前記渋滞区間を走行する予定の車両（４）に対して前記減速開始地点に関する案内を行う。
上記構成を有する交通情報案内システムによれば、今後に渋滞区間を通過する予定の車両に対して、渋滞区間に対して減速を開始すべき地点を運転者に把握させることが可能となる。その結果、渋滞区間に対する適切な走行を行わせることを可能とする。
【００９２】
また、第７の構成は以下のとおりである。
前記減速履歴収集手段（２１）は、前記渋滞区間から進行方向手前側に所定距離内の範囲において、各車両（４）が減速を開始した地点或いは各車両において減速操作が開始された地点を減速開始地点として収集する。
上記構成を有する交通情報案内システムによれば、渋滞区間に対する減速挙動のみを抽出し、他の要因に基づく減速挙動は排除して、減速履歴情報として収集することが可能となる。その結果、渋滞区間に対して減速を開始すべき地点をより正確に特定することが可能となる。
【００９３】
また、第８の構成は以下のとおりである。
前記減速情報案内手段（５１）は、前記渋滞区間と関連付けて前記減速開始地点に関する案内を行う。
上記構成を有する交通情報案内システムによれば、運転者は渋滞区間と該渋滞区間に対する減速開始始点を関連付けて把握することが可能となる。その結果、渋滞区間に対するより適切な走行を行わせることを可能とする。
【００９４】
また、第９の構成は以下のとおりである。
前記減速情報案内手段（５１）は、前記渋滞区間の開始点を特定する情報と関連付けて前記減速開始地点に関する案内を行う。
上記構成を有する交通情報案内システムによれば、運転者は渋滞区間の開始点と該渋滞区間に対する減速開始始点を関連付けて把握することが可能となる。その結果、渋滞区間に対するより適切な走行を行わせることを可能とする。
【００９５】
また、第１０の構成は以下のとおりである。
前記渋滞区間に対して進行方向手前側を走行する複数の車両（４）について、各車両が停止した停止地点に関する情報を停止履歴情報として収集する停止履歴収集手段（２１）と、前記停止履歴収集手段の収集結果に基づいて、前記停止地点に関する案内を行う停止情報案内手段（５１）と、を有する。
上記構成を有する交通情報案内システムによれば、道路上を走行する各車両から収集した情報に基づいて、渋滞区間に対して停止すべき地点を運転者に把握させることが可能となる。その結果、渋滞区間に対する適切な走行を行わせることを可能とする。
【００９６】
また、第１１の構成は以下のとおりである。
前記停止履歴収集手段（２１）によって収集した各車両の前記停止履歴情報を統計する停止履歴統計手段（２１）を有し、前記停止情報案内手段（５１）は、前記停止履歴統計手段の統計結果に基づいて、前記停止地点の分布に関する案内を行う。
上記構成を有する交通情報案内システムによれば、各車両から収集した情報を統計することによって、渋滞区間に対して停止すべき地点をより正確に特定し、運転者に把握させることが可能となる。
【００９７】
また、第１２の構成は以下のとおりである。
前記停止情報案内手段（５１）は、前記渋滞区間の進行方向手前側の道路を所定距離単位で区分し、区分毎に含まれる前記停止地点の度数を示唆する案内を行う。
上記構成を有する交通情報案内システムによれば、渋滞区間の手前側で停止地点の集中している区間を車両の乗員が把握することが可能となる。そして、車両の乗員は停止地点が集中する区間で停止するようにブレーキ操作を調整すれば、車両の進行方向にある渋滞区間に対して適切な走行を行うことが可能となる。
【００９８】
また、第１３の構成は以下のとおりである。
前記停止情報案内手段（５１）は、車両周辺の地図画像を表示装置（３５）に表示し、前記地図画像に含まれる前記渋滞区間の進行方向手前側の道路について、前記区分毎に含まれる前記停止地点の度数に応じた表示態様で表示する。
上記構成を有する交通情報案内システムによれば、表示装置に表示された地図画像を車両の乗員に視認させることによって、渋滞区間の手前側で停止地点の集中している区間を車両の乗員が把握することが可能となる。そして、車両の乗員は停止地点が集中する区間で停止するようにブレーキ操作を調整すれば、車両の進行方向にある渋滞区間に対して適切な走行を行うことが可能となる。
【００９９】
また、第１４の構成は以下のとおりである。
前記停止履歴収集手段（２１）は、統計を行う時点から所定時間前までの期間において各車両が停止した停止地点に関する情報を、前記停止履歴情報として収集する。
上記構成を有する交通情報案内システムによれば、特に案内が行われる現時点において渋滞区間の手前側で停止地点の集中している区間を車両の乗員に把握させることが可能となる。
【符号の説明】
【０１００】
１          交通情報案内システム
２          プローブセンタ
３          サーバ装置
４          車両
５          ナビゲーション装置
１１        サーバ制御ＥＣＵ
２１        ＣＰＵ
１２        プローブ情報ＤＢ
１３        プローブ統計情報ＤＢ
３３        ナビゲーションＥＣＵ
５１        ＣＰＵ
５５        第１減速区間
５６        第２減速区間
５７        第１停止区間
５８        第２停止区間
６１        走行案内画面
【図１】
2019139349.tif 000003
【図２】
2019139349.tif 000004
【図３】
2019139349.tif 000005
【図４】
2019139349.tif 000006
【図５】
2019139349.tif 000007
【図６】
2019139349.tif 000008
【図７】
2019139349.tif 000009
【図８】
2019139349.tif 000010
【図９】
2019139349.tif 000011
【図１０】
2019139349.tif 000012
【図１１】
2019139349.tif 000013
【図１２】
2019139349.tif 000014
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
渋滞が生じている渋滞区間を特定する情報を取得する渋滞情報取得手段と、
前記渋滞区間に対して進行方向手前側を走行する複数の車両について、各車両が減速を開始した地点或いは各車両において減速操作が開始された地点を減速開始地点とし、前記減速開始地点に関する情報を減速履歴情報として収集する減速履歴収集手段と、
前記減速履歴収集手段の収集結果に基づいて、前記減速開始地点に関する案内を行う減速情報案内手段と、を有する交通情報案内システム。
【請求項２】
前記減速履歴収集手段によって収集した各車両の前記減速履歴情報を統計する減速履歴統計手段を有し、
前記減速情報案内手段は、前記減速履歴統計手段の統計結果に基づいて、前記減速開始地点の分布に関する案内を行う請求項１に記載の交通情報案内システム。
【請求項３】
前記減速情報案内手段は、
前記渋滞区間の進行方向手前側の道路を所定距離単位で区分し、
区分毎に含まれる前記減速開始地点の度数を示唆する案内を行う請求項２に記載の交通情報案内システム。
【請求項４】
前記減速情報案内手段は、
車両周辺の地図画像を表示装置に表示し、
前記地図画像に含まれる前記渋滞区間の進行方向手前側の道路について、前記区分毎に含まれる前記減速開始地点の度数に応じた表示態様で表示する請求項３に記載の交通情報案内システム。
【請求項５】
前記減速履歴収集手段は、統計を行う時点から所定時間前までの期間において各車両が減速を開始した減速開始地点に関する情報を、前記減速履歴情報として収集する請求項２乃至請求項４のいずれかに記載の交通情報案内システム。
【請求項６】
前記減速情報案内手段は、前記渋滞区間を走行する予定の車両に対して前記減速開始地点に関する案内を行う請求項１乃至請求項５のいずれかに記載の交通情報案内システム。
【請求項７】
前記減速履歴収集手段は、前記渋滞区間から進行方向手前側に所定距離内の範囲において、各車両が減速を開始した地点或いは各車両において減速操作が開始された地点を減速開始地点として収集する請求項１乃至請求項６のいずれかに記載の交通情報案内システム。
【請求項８】
前記減速情報案内手段は、前記渋滞区間と関連付けて前記減速開始地点に関する案内を行う請求項１乃至請求項７のいずれかに記載の交通情報案内システム。
【請求項９】
前記減速情報案内手段は、前記渋滞区間の開始点を特定する情報と関連付けて前記減速開始地点に関する案内を行う請求項８に記載の交通情報案内システム。
【請求項１０】
前記渋滞区間に対して進行方向手前側を走行する複数の車両について、各車両が停止した停止地点に関する情報を停止履歴情報として収集する停止履歴収集手段と、
前記停止履歴収集手段の収集結果に基づいて、前記停止地点に関する案内を行う停止情報案内手段と、を有する請求項１乃至請求項９のいずれかに記載の交通情報案内システム。
【請求項１１】
前記停止履歴収集手段によって収集した各車両の前記停止履歴情報を統計する停止履歴統計手段を有し、
前記停止情報案内手段は、前記停止履歴統計手段の統計結果に基づいて、前記停止地点の分布に関する案内を行う請求項１０に記載の交通情報案内システム。
【請求項１２】
前記停止情報案内手段は、
前記渋滞区間の進行方向手前側の道路を所定距離単位で区分し、
区分毎に含まれる前記停止地点の度数を示唆する案内を行う請求項１１に記載の交通情報案内システム。
【請求項１３】
前記停止情報案内手段は、
車両周辺の地図画像を表示装置に表示し、
前記地図画像に含まれる前記渋滞区間の進行方向手前側の道路について、前記区分毎に含まれる前記停止地点の度数に応じた表示態様で表示する請求項１２に記載の交通情報案内システム。
【請求項１４】
前記停止履歴収集手段は、統計を行う時点から所定時間前までの期間において各車両が停止した停止地点に関する情報を、前記停止履歴情報として収集する請求項１１乃至請求項１３のいずれかに記載の交通情報案内システム。
【請求項１５】
前記渋滞情報取得手段によって取得される情報において特定されている前記渋滞区間は、交通情報センタから前記渋滞区間を特定する情報を含む渋滞情報を取得すること、或いは各車両から収集したプローブ情報を処理することによって特定される請求項１乃至請求項１４のいずれかに記載の交通情報案内システム。
【請求項１６】
渋滞が生じている渋滞区間を特定する情報を取得する渋滞情報取得手段と、
前記渋滞区間に対して進行方向手前側を走行する複数の車両について、各車両が減速を開始した地点或いは各車両において減速操作が開始された地点を減速開始地点とし、前記減速開始地点に関する情報を減速履歴情報として収集する減速履歴収集手段と、
前記減速履歴収集手段の収集結果を、車両に対して配信する減速情報配信手段と、を有する交通情報配信装置。
【請求項１７】
前記渋滞区間に対して進行方向手前側を走行する複数の車両について、各車両が停止した停止地点に関する情報を停止履歴情報として収集する停止履歴収集手段と、
前記停止履歴収集手段の収集結果を、車両に対して配信する停止情報配信手段と、を有する請求項１６に記載の交通情報配信装置。